(57)【要約】      （修正有）【課題】壁面に貼り付けて使用可能であるとともに、裏面の印刷パターンや文字を視認可能とする新型の多機能収納ボックスを提供する。【解決手段】係合フレーム１と筐体２を含み、係合フレーム１の裏面は背面シールアセンブリ３に貼り付けられており、係合フレーム１の前部両端にはスライド溝が設けられており、筐体２の後部両端にはスライドレールが設けられており、係合フレーム１と筐体２が摺接するよう、スライドレールがスライド溝に嵌入し、係合フレーム１は透明な材質からなり、筐体２は一体型のシームレスな透明筐体であり、背面シールアセンブリ３の前面にはパターン又は文字が印刷されている。筐体２と係合フレーム１はいずれも透明な材質からなり、且つ、筐体２のスライドレールと係合フレーム１のスライド溝がいずれも両端に設けられている。【選択図】図１
0003220803.tif 000002
【実用新案登録請求の範囲】
【請求項１】
係合フレーム（１）と筐体（２）を含む新型の多機能収納ボックスにおいて、
前記係合フレーム（１）の裏面は背面シールアセンブリ（３）に貼り付けられており、前記係合フレーム（１）の前部両端にはスライド溝（４）が設けられており、前記筐体（２）の後部両端にはスライドレール（５）が設けられており、前記係合フレーム（１）と筐体（２）が摺接するよう、前記スライドレール（５）が前記スライド溝（４）に嵌入し、
前記係合フレーム（１）は透明な材質からなり、前記筐体（２）は一体型のシームレスな透明筐体であり、前記背面シールアセンブリ（３）の前面にはパターン又は文字が印刷されていることを特徴とする多機能収納ボックス。
【請求項２】
前記スライド溝（４）とスライドレール（５）の断面形状はいずれも下底を有さない直角台形をなしており、前記スライド溝（４）とスライドレール（５）が一体的に噛み合うことでシームレス構造が形成されることを特徴とする請求項１に記載の新型の多機能収納ボックス。
【請求項３】
前記スライドレール（５）の下端には第１の傾斜面が設けられており、前記スライド溝（４）の上端には対応する第２の傾斜面が設けられており、前記第１の傾斜面と第２の傾斜面の傾斜角度はいずれも４５°であることを特徴とする請求項２に記載の新型の多機能収納ボックス。
【請求項４】
前記スライドレール（５）の上部には、スライドレールのストロークを規制する突起（６）が更に設けられていることを特徴とする請求項３に記載の新型の多機能収納ボックス。
【請求項５】
前記背面シールアセンブリ（３）は、粘着層（７）、前記粘着層（７）の背部に貼り付けられる保護層（８）、及び、前記粘着層（７）の前部に貼り付けられる粘着シート（９）を含み、前記係合フレーム（１）は前記粘着シート（９）に貼り付けられることを特徴とする請求項１に記載の新型の多機能収納ボックス。
【請求項６】
前記粘着層（７）はリムーバブル粘着剤であることを特徴とする請求項５に記載の新型の多機能収納ボックス。
【請求項７】
前記粘着シート（９）は印刷可能なプラスチック基材であることを特徴とする請求項５に記載の新型の多機能収納ボックス。
【考案の詳細な説明】
【技術分野】
【０００１】
本考案はホームグッズの技術分野に関し、より具体的には、新型の多機能収納ボックスに関する。
【背景技術】
【０００２】
収納ボックスとは物を収納する箱のことであり、物（多くが事務用品や文具、化粧品、文書・資料、小型工具、靴下、下着等の小物類）をまとめるものである。現在、大部分の収納ボックスは床やテーブル、或いはその他の空間に放置して使用され、壁面に貼り付けて使用する壁掛け式のものは少ない。壁面に貼り付けて使用する収納ボックスには、小さくて軽く、且つ使用頻度の高い物を収納可能であり、例えば、日常生活に便利なように、鍵、バスグッズ、化粧品、充電器、文房具等の小物類を収納すればよい。
【０００３】
特許文献１は、名称を壁掛け式石鹸箱とする中国実用新案であり、壁面に掛けて使用する石鹸箱について開示している。当該石鹸箱は、スライド溝とスライドレールにより石鹸箱体とベースを接続しており、浴室の壁面に貼り付けて使用するため実用性に大変優れている。しかし、時代が進むにつれて、日用品へのニーズも多様化している。使用時に心身を癒し、実用性に止まることなく装飾としての役割も発揮するよう、実用性のほか高い観賞性も求められている。そこで、本願は、新型の多機能収納ボックスに係る構想を提案する。
【先行技術文献】
【特許文献】
【０００４】
【特許文献１】中国実用新案出願第２０１５２００００３２４．５号
【考案の概要】
【考案が解決しようとする課題】
【０００５】
本考案は、透明な材質からなり、壁面に貼り付けて使用可能であるとともに、スライド溝とスライドレールを両端に設けることで裏面の印刷パターンや文字を視認可能とする新型の多機能収納ボックスを提供することを解決すべき技術的課題とする。
【課題を解決するための手段】
【０００６】
本考案の技術解決方案は以下である。即ち、本考案は、係合フレームと筐体を含み、前記係合フレームの裏面は背面シールアセンブリに貼り付けられており、前記係合フレームの前部両端にはスライド溝が設けられており、前記筐体の後部両端にはスライドレールが設けられており、前記係合フレームと筐体が摺接するよう、前記スライドレールが前記スライド溝に嵌入し、前記係合フレームは透明な材質からなり、前記筐体は一体型のシームレスな透明筐体であり、前記背面シールアセンブリの前面にはパターン又は文字が印刷されている新型の多機能収納ボックスを提供する。
【０００７】
更に、前記スライド溝とスライドレールの断面形状はいずれも下底を有さない直角台形をなしており、前記スライド溝とスライドレールが一体的に噛み合うことでシームレス構造が形成される。
【０００８】
更に、前記スライドレールの下端には第１の傾斜面が設けられており、前記スライド溝の上端には対応する第２の傾斜面が設けられており、前記第１の傾斜面と第２の傾斜面の傾斜角度はいずれも４５°である。
【０００９】
更に、前記スライドレールの上部には、スライドレールのストロークを規制する突起が更に設けられている。
【００１０】
更に、前記背面シールアセンブリは、粘着層、前記粘着層の背部に貼り付けられる保護層、及び、前記粘着層の前部に貼り付けられる粘着シートを含み、前記係合フレームは前記粘着シートに貼り付けられる。
【００１１】
更に、前記粘着層はリムーバブル粘着剤である。
【００１２】
更に、前記粘着シートは印刷可能なプラスチック基材である。
【考案の効果】
【００１３】
本考案における新型の多機能収納ボックスを実施すれば、以下の有益な効果が得られる。即ち、筐体と係合フレームはいずれも透明な材質からなり、且つ、筐体のスライドレールと係合フレームのスライド溝がいずれも両端に設けられている。そのため、背部の背面シールアセンブリに印刷された文字やパターンが遮られることがなく、当該収納ボックスに実用性のほか、装飾としての役割も発揮させられる。また、スライド溝とスライドレールの断面がいずれも直角台形となるよう設けられているため、これらの装着及び摺合がより円滑且つ容易となる。また、背面シールアセンブリにリムーバブル粘着剤を使用することで、当該収納ボックスは位置を移動させて複数回使用可能となり、且つ、糊跡が残らない。
【００１４】
以下に、図面と実施例を組み合わせて本考案につき更に説明する。
【図面の簡単な説明】
【００１５】
【図１】図１は、本考案における新型の多機能収納ボックスの分解構造図である。
【図２】図２は、本考案における新型の多機能収納ボックスの筐体の裏面構造を示す図である。
【図３】図３は、本考案における新型の多機能収納ボックスの係合フレームの構造を示す図である。
【図４】図４は、本考案における新型の多機能収納ボックスの背面シールアセンブリの分解構造図である。
【図５】図５は、本考案における新型の多機能収納ボックスの水平断面図である。
【考案を実施するための形態】
【００１６】
図１〜図５は、本考案における新型の多機能収納ボックスの好ましい実施例を示している。新型の多機能収納ボックスは、係合フレーム１と筐体２を含む。係合フレーム１の裏面は背面シールアセンブリ３に貼り付けられており、係合フレーム１の前部両端にはスライド溝４が設けられている。また、筐体２の後部両端にはスライドレール５が設けられており、係合フレーム１と筐体２が摺接するよう、スライドレール５がスライド溝４に嵌入する。係合フレーム１は透明な材質からなり、筐体２は一体型のシームレスな透明筐体である。また、背面シールアセンブリ３の前面にはパターン又は文字が印刷されている。背面シールアセンブリ３は、係合フレーム１を壁面又は物品上に貼り付けるために用いられる。係合フレーム１は筐体２を担持するために用いられ、スライド溝とスライドレールを利用して筐体２と摺接する。筐体２は収納ボックスとして、小さくて軽く、且つ使用頻度の高い、鍵、文房具又はバスグッズといった実用的な物、玩具、人形又はプラスチック製花といった装飾性の物を収納するために用いられる。なお、言うまでもなく、本実施例における筐体２は一体型のシームレスな透明設計であるため、液体を収納してもよく、更には、小型の水槽として使用してもよい。従って、本考案の収納ボックスは用途が非常に幅広く、日用品を収納してもよいし、単体で壁面装飾として用いてもよく、ユーザの各種ニーズを満たすことができる。背面シールアセンブリ３の前面には、各種の色、パターン又は文字を印刷可能であり、透明な筐体２を通じて背部に示されるパターン又は文字を視認可能である。このように、収納ボックスは、物を収納するだけでなく壁面装飾品ともなり得るため、実用的でありながら一定の装飾効果も発揮して生活環境を潤す。また、背面シールアセンブリ３の印刷パターンを遮らないよう、係合フレーム１と筐体２を透明な材質で作製するほか、スライド溝４とスライドレール５を係合フレーム１及び筐体２の両端部に設けているため、背面の背景パターンが最大限表示される。
【００１７】
本実施例におけるスライド溝４とスライドレール５の断面形状は、いずれも下底を有さない直角台形をなしており、スライド溝４とスライドレール５が一体的に噛み合うことでシームレス構造が形成される。図５に示すように、スライド溝４とスライドレール５はいずれも３面が閉じた直角台形となるよう設計されており、噛み合う際には２つの直角台形の脚面が互いに接触する。スライド溝４とスライドレール５の２つの脚は傾斜角度が互いに一致しており、しっかりと係合することでシームレス構造を形成可能である。よって、全ての辺が直角をなすスライド溝及びスライドレールと比較して、上記の設計は摺合がより円滑且つ容易となり、更には噛合がより緊密となる。
【００１８】
本実施例において、図２及び図３に示すように、スライドレール５の下端には第１の傾斜面が設けられており、スライド溝４の上端には対応する第２の傾斜面が設けられている。また、第１の傾斜面と第２の傾斜面の傾斜角度はいずれも４５°である。このように設けることで、スライドレール５をスライド溝４に装入しやすくなる。
【００１９】
本実施例において、スライドレール５の上部には、スライドレールのストロークを規制する突起６が更に設けられている。突起６は、スライドレール５の上端に設けられる横棒である。スライドレール５がスライド溝４の下端まで到達すると、突起６がスライド溝４の上部に当止することで、スライドレール５は下方への移動を継続できなくなる。このようにして、筐体２をしっかりと係合フレーム１に掛止する。
【００２０】
本実施例において、背面シールアセンブリ３は、粘着層７、粘着層７の背部に貼り付けられる保護層８及び粘着層７の前部に貼り付けられる粘着シート９を含む。係合フレーム１は粘着シート９に貼り付けられる。保護層８は離型フィルムであり、収納ボックスの未使用時において粘着層７の底部を清潔に維持可能である。収納ボックスを使用したい場合には、保護層８を除去してから壁面又は物体表面に直接貼り付ける。そして、係合フレームを手できつく押圧してから、背面シールアセンブリの各箇所が平らとなるよう押さえ付けることで、しっかりと貼り付いて物を収納可能となる。なお、粘着層７はリムーバブル粘着剤である。よって、収納ボックスの位置を移動させて何度も繰り返し使用可能となり、環境にやさしい。且つ、位置移動の後に糊が残留することがなく、痕跡を残さないとの効果が発揮されるため、壁面又は物品の汚れが回避される。また、粘着シート９は印刷可能なプラスチック基材であり、例えば、ＰＥＴ、ＰＶＣ、ＰＰ等の材料からなる。基材の形状はカスタマイズ可能であり、前面にパターンや文字を印刷できるため、壁面貼付の芸術品のように装飾的効果を発揮する。
【００２１】
本考案における新型の多機能収納ボックスを使用する場合、筐体と係合フレームがいずれも透明な材質からなり、且つ、筐体のスライドレールと係合フレームのスライド溝がいずれも両端に設けられている。そのため、背部の背面シールアセンブリに印刷された文字やパターンが遮られることがなく、当該収納ボックスに実用性のほか装飾としての役割も発揮させられる。また、スライド溝とスライドレールの断面がいずれも直角台形となるよう設けられているため、これらの装着及び摺合がより円滑且つ容易となる。また、背面シールアセンブリにリムーバブル粘着剤を使用することで、当該収納ボックスは位置を移動させて複数回使用可能となり、且つ、糊跡が残らない。
【００２２】
以上は本考案の好ましい実施例にすぎず、当業者であれば、本考案の思想に基づいて、具体的実施形態及び応用の範囲内で様々な変形が可能である。これらの変形は本考案の構想から逸脱しない限り、いずれも本考案による保護の範囲に属する。
【図１】
0003220803.tif 000003
【図２】
0003220803.tif 000004
【図３】
0003220803.tif 000005
【図４】
0003220803.tif 000006
【図５】
0003220803.tif 000007